(57)【要約】【課題】利便性、操作性、コストを考慮しつつ、回胴式遊技機の防犯効果を高める。【解決手段】回胴式遊技機１の躯体構造は、前面が開放された筐体２と、前面を開閉する前面扉３と、を備え、前面扉３を、板金フレーム４と、板金フレーム４の前面に装着される複数のパネル５〜７に分割し、複数のパネル５〜７のうち、操作部８を配置するパネル６の前面側に凸面９を備えた突出部１０を設け、防護板金１１を板金フレーム４に架設し、防護板金１１を突出部１０の裏側凹面１２領域に配置することを特徴とする。【選択図】        図２
2009268774.tif 000002
【特許請求の範囲】
【請求項１】
前面が開放された筐体と、
前記前面を開閉する前面扉と、を備え、
前記前面扉を、板金フレームと、該板金フレームの前面に装着される複数のパネルに分割し、
前記複数のパネルのうち、操作部を配置するパネルの前面側に凸面を備えた突出部を設け、
防護板金を前記板金フレームに架設し、該防護板金を前記突出部の裏側凹面領域に配置することを特徴とする回胴式遊技機の躯体構造。
【請求項２】
前記防護板金が横方向に延び出し表面側が凸面である皿状の構造である請求項１の回胴式遊技機の躯体構造。
【請求項３】
前記筐体を、筐体板金フレームと、該筐体板金フレームを覆う複数の板金外板とに分割構成し、
前記前面扉の板金フレームの縦材に蝶番を設けて、前記筐体板金フレームの縦材に開閉自在に連結する請求項１の回胴式遊技機の躯体構造。
【発明の詳細な説明】
【技術分野】
【０００１】
本発明は、回胴式遊技機の躯体構造、特に、防犯性能に係る構造に関する。
【背景技術】
【０００２】
特許文献１の発明のスロットマシンは、簡単な構成により、質や見栄え良く機種交換できるようにするため、前扉５を、筐体に対して分離可能に取り付けると共に、操作板１７と下パネル１５との間で蝶番により上半部と下半部を連結してほぼ中央部で折曲可能に形成したものである。また、第３実施形態では、前扉５が、扉枠体５５と、この扉枠体５５に着脱自在に装着された上、中、下のパネル枠体５７，５９，６１とを備え、これら各パネル枠体５７，５９，６１に着脱自在に上、中、下パネル７，９，１５がそれぞれ取り付けられるようになっている。ここで、各パネル枠体５７，５９，６１は、フックにより扉枠体５５の所定位置にそれぞれ着脱自在に取り付けられる。この第３実施形態によれば、機種交換を行う際、各パネル７，９，１５を各パネル枠体５７，５９，６１それぞれから取り外し、リール装置４１を前扉５から取り外すことで、各パネル７，９，１５、リール装置４１及び主、補助基板４５，４７のみを交換すればよく、新機種に要する部品コストを大幅に低減することができ、しかも新機種に要する部品重量も軽減できて運搬が非常に容易になる。このとき、スロットマシン１の前面はデザイン的にほぼ上、中、下に分けることができるため、上、中、下の３つのパネル７，９，１５を分離可能にしておけば、前扉５を新しいデザイン交換する手間が非常に簡素化することができる。そして、パネル７，９，１５をホールで交換できるため、交換作業を非常に手軽に行うことができる。また、リール装置４１と共に主基板４５及び補助基板４７を一緒に交換することができ、主基板４５及び補助基板４７付きのリール装置４１をホールにおいて交換でき、上記したようなパネル７，９，１５含めて、最小限の交換で機種交換をホールで行えることになり、交換効率を大幅に改善することができる。
【０００３】
特許文献２の発明は、リサイクル可能部品とリサイクル不可部品を遊技機の機種やシリーズに応じてブロック分けし、これらをブロック単位で扉本体から着脱自在に形成することにより、機種変更を臨機応変に対処でき、かつ効率よくリサイクルを行うことが可能な遊技機を提供することを目的とし、遊技機の前扉３を、筐体デザインが変更されるまでは全機種共通に使用される上扉枠５０などの枠体と、この枠体に着脱自在に取り付けられる部材であって、複数機種に共通して使用可能な、例えばスピーカユニット６０を含むシリーズ別部材と、枠体に着脱自在に取り付けられる部材であって、遊技機の機種毎に異なる部材、例えば上パネルユニット７０を含む部材である機種別部材とにより構成するものである。
【０００４】
特許文献３の発明は、大幅且つ大胆で斬新なデザイン変更が可能であり、且つフロントマスクは共通化することができるような下パネル構造を得るため、本体筐体１１内にスロット遊技装置を配設し、本体筐体の前面にヒンジ結合される前扉２が、フロントマスク２０と、フロントマスクの前面に取り付けられた上パネルアセンブリ３０、表示部２２、操作部２３、下パネルアセンブリ５０等を有して構成される。下パネルアセンブリ５０が着脱自在に取り付けられる下パネル取付部２４は、左右両端のランプ取付凹部２４ｃと、中央凹部２４ａとを有し、ランプ取付凹部２４ｃを覆う飾りレンズ５２を左右に有するとともに中央凹部を覆うパネル５５を中央に有した下パネルアセンブリ５０と、左右のランプ取付凹部および中央凹部の全体を覆うパネル部を有した下パネルアセンブリ１５０とが下パネル取付部に選択的に取り付けられる。
【０００５】
【特許文献１】特開２００４−３０５４３３号公報
【特許文献２】特開２００５−１５２４８３号公報
【特許文献３】特開２００５−２１４４４号公報
【発明の開示】
【発明が解決しようとする課題】
【０００６】
しかしながら、特許文献１〜３の発明は、いずれもデザイン性向上、部材の共通化などの機能性を高めることはできるが、不正夜間侵入、営業中の不正開扉、穴あけなどによる不正行為を有効に防止することが困難になるという問題がある。また、構造が複雑化し、コスト高となり、低価格で実効性のある防犯対策が困難である。
【０００７】
そこで、本発明は、機能性を確保するとともに、利便性、操作性、コストを考慮しつつ、回胴式遊技機の防犯効果を高めることを目的とする。
【０００８】
完全防犯は諸般の事情から事実上困難と思量され、コストをかけたからといってセキュリティが完全なものとなる保障はない。本発明の趣旨は、利便性、操作性、低コストを確保した上で、不正行為を行い難くすることである。
【課題を解決するための手段】
【０００９】
以上の課題に鑑み、請求項１の発明は、前面が開放された筐体と、前記前面を開閉する前面扉と、を備え、前記前面扉を、板金フレームと、該板金フレームの前面に装着される複数のパネルに分割し、前記複数のパネルのうち、操作部を配置するパネルの前面側に凸面を備えた突出部を設け、防護板金を前記板金フレームに架設し、該防護板金を前記突出部の裏側凹面領域に配置することを特徴とする回胴式遊技機の躯体構造である。板金フレームは板材が好ましいが、必要に応じて、これに代えて、又は、これとともに、角パイプ、丸パイプを採用してもよい。防犯の部分に関わってくる部位については、板金を、そうではないところは軽くて安い材料を採用してもよい。
【００１０】
請求項２の発明は、前記防護板金が横方向に延び出し表面側が凸面である皿状の構造である請求項１の回胴式遊技機の躯体構造である。
【００１１】
請求項３の発明は、前記筐体を、筐体板金フレームと、該筐体板金フレームを覆う複数の板金外板とに分割構成し、前記前面扉の板金フレームの縦材に蝶番を設けて、前記筐体板金フレームの縦材に開閉自在に連結する請求項１の回胴式遊技機の躯体構造である。筐体の特徴は、ベースとしては、三次元形状の板金フレームの構造物があり、その構造物に周囲から板材を貼り付けるという構造である。筐体に板金フレームを採用することによって防犯性能を高めることができる。また、防犯の部分に関わってくる部位については、板金を、そうではないところは軽くて安い材料を採用してもよい。また、板金については板材が好ましいが、場合によってはこれに代えて、又は、これとともに、角パイプ、丸パイプを採用してもよい。
【発明の効果】
【００１２】
請求項１の発明によれば、利便性や操作性を低減させることなく、低コストで、回胴式遊技機の防犯効果を高めることができる。請求項２の発明によれば、穴あけによる不正行為を防止できる。請求項３によれば、不正行為を防止でき、捩れなどに強い頑丈な構造が実現できる上に、パネルの材質選択の幅が広がる。
【発明を実施するための最良の形態】
【００１３】
以下、本発明の実施の形態に係る回胴式遊技機１について図１〜図３を参照して説明する。
【００１４】
本発明実施形態の回胴式遊技機１の躯体構造は、図１〜図２に示す通り、前面が開放された筐体２と、前面を開閉する前面扉３と、を備え、前面扉３を、板金フレーム４と、板金フレーム４の前面に装着される複数（ここでは３個）のパネル５〜７に分割し、複数のパネル５〜７のうち、操作部８を配置するパネル６の前面側に凸面９を備えた突出部１０を設け、防護板金１１を板金フレーム４に架設し、防護板金１１を突出部１０の裏側凹面１２領域に配置することを特徴とする。また、回胴式遊技機１の躯体構造は、筐体２の上部室１３と下部室１４と区画形成する仕切板１５と、上部室１３に収容され電子抽選を行ってその抽選結果に応じて各リールの回転及び停止制御を行う主基板１６と、上部室１３に収容され３個のリール及び各リールを回転するステッピングモータを含むリールユニット１７と、下部室１４に収容された電源ボックス１８と、で形成されている。下部室１４には、当たりになったときにメダルを払いだすホッパー装置（図示略）などが格納されている。また、前面扉３に設けられている鍵シリンダ錠１９に専用鍵を挿脱することで、前面扉３を開錠と施錠を行う。
【００１５】
前面扉３にはリール観察窓２０が設けられ、遊技者はリール観察窓２０を通してリールユニット１７の３個のリールを部分的に観察することができる。また、リール観察窓２０の下方には、毎ゲームごとに遊技者がベットしたメダルの枚数を表示するベット枚数表示部、当たりが得られたときの払出しメダル枚数を表示する配当メダル枚数表示部、クレジットしたメダルの枚数を表示するクレジット枚数表示部などから構成される表示部２１が操作パネル６表面側に設けられている。前面扉３には、メダルの投入口、ベットボタン、リールごとに対応したストップボタン、スタートレバーが設けられ、また下部にはメダル受皿２２が設けられている。前面扉３は、蝶番２３で開閉自在に筐体２に連結され横開き構造となっている。以下、詳細に説明する。
【００１６】
図２に示す通り、板金フレーム４は二次元の矩形板金フレーム４ａに三次元形状の防護板金１１が結合したものである。すなわち、防護板金１１は不正行為を防止するための構造であって、横方向に延び出し表面側が凸面１１ａである皿状の構造であり、両端部が矩形板金フレーム４ａの縦材に接続されることにより横架されている。この防護板金１１は、横方向のブリッジ形状に構成されている。凸面１１ａは、両側面が外側に向かって傾斜する矩形の傾斜面（両端部は垂直面）となっており、上面と下面が略台形状の水平面であり、前面が矩形の垂直面であり、それらが結合した５面構成であり、裏面の基板やコネクタを覆うことで不正行為から防護する覆板構造である。凸面１１ａの面数や形状は限定されることはなく、湾曲形状でもよい。凸面１１ａにはボタン類１１ｂが固定され、ボタン類は操作パネル６の孔から突出する。裏側凹面１２領域には、図示は略すが、基板或いはコネクタなどが設けてある。補強板金４ｂが防護板金１１の上部に横架されている。凸面１１ａに操作レバーを固定してもよい。パネル５〜７は装飾性、製造容易性を確保するため合成樹脂製が好ましいが、限定されるわけではない。
【００１７】
筐体２を、筐体板金フレーム２４と、筐体板金フレーム２４を覆う複数の板金外板２６〜３０とに分割構成し、前面扉２の板金フレーム４側面縦材に設けた蝶番２３が筐体板金フレーム２４の縦材２４ｉに開閉自在に連結する構造を備える。
【００１８】
図２、３に示す通り、筐体２は縦長の角形ボックスであり、筐体板金フレーム２４に板金外板２６〜３０が取り付けられている。すなわち、筐体板金フレーム２４の背側に背板２６、上面に天板２７、左右側面に一対の側板２８，２９、底面に底板３０を備え、矩形の前面が開放された状態である。筐体２は、板金が好ましい。また、部位によってはＭＤＦを採用できるので、ＭＤＦ（中密度繊維板）と板金の組み合わせも好ましい。ＭＤＦの場合、切り取りや穴あけを防止することは困難がことがあるので、防犯性が必要な部位は板金とする。
【００１９】
図３に示す通り、筐体板金フレーム２４は三次元構造であって、上部の第１水平材２４ａ，２４ｂと、これらと直交して接続されて第１矩形部をなす第２水平材２４ｃ，２４ｄと、下部の第３水平材２４ｅ，２４ｆと、これらと直交して接続されて上部よりも大きな形状の第２矩形部をなす第４水平材２４ｇ，２４ｈと、第１矩形部と第２矩形部とを接続する４本の垂直材２４ｉ，２４ｊ，２４ｋ，２４ｌと、を備えている。各部材２４ａ〜２４ｌには、適宜、接続のためのビス孔が形成されている。
【００２０】
図１、３に示す通り、筐体２の内部は仕切板１５で上部室１３と下部室１４とに区画され、上部室１３に主基板１６とリールユニット１７が収納され、リールユニット１７が仕切板１５の上面に固定されている。仕切板１５は筐体板金フレーム２４の縦材２４ｉ〜２４ｌにビス等により固定されている。なお、電子抽選やリールの停止制御を行う主基板１６は、不正行為がしにくいように、封印機能をもった基板ケースに収納した上で上部室１３の奥に縦方向に収められている。そして、前面扉３を閉じると主基板１６、電源ボックス１８やホッパー装置（図示略）などが覆われる。
【００２１】
仕切板１５は、板金のほか、ＭＤＦ（中密度繊維板）、紙板、合成樹脂板などから選択することが好ましい。
【００２２】
前面扉３の裏側面には、役物、表示装置、音響装置及び/又はサブ基板ボックスなどの各種装置を装着してある。主基板１６の配置は各種装置の奥側が好ましく、スペースの有効活用になる。製造コストを抑えるため、各種装置には表示装置がない場合がある。最低限、役物は設置することが多い。この場合、前面扉３の開閉の都合上、各種装置の回転の軌跡上、出張部分が筐体２に当たって閉まらないこともあるので、少ない空間範囲でしか装置が取り付けられない場合がある。
【００２３】
本実施形態の変更形態としては、たとえば、前記の役物、表示装置、音響装置及び/又はサブ基板ボックスなどの各種装置としての装置４０を、図４〜図６に示す通り、上部室１３の内部に装着してもよい。この場合、上部室１３内部に収納することによって、スペースを有効に活用できる。また前面扉３の意匠変更・交換が容易になる。
【００２４】
この場合、装置４０は、仕切板１５の上部に別に間隙を開けて設けた支持板５０の上に設置することが安定性などの観点から好ましい。上部室１３が支持板５０で分割されることとなる。また、液晶表示装置など、表示装置又は役物は、前面扉３か又は前面扉３に近い位置に近接配置することが好ましい。液晶表示装置のため前面扉３には窓を設けることが好ましい。支持板５０は、板金のほか、ＭＤＦ（中密度繊維板）、紙板、合成樹脂板などから選択することが好ましい。
【００２５】
具体的には、図４（ａ）に示す通り、矩形の支持板５０を水平に配置し、筐体板金フレーム２４の縦材２４ｉ〜２４ｌに固定してある。たとえば、その後端縁と両側側面縁は、筐体板金フレーム２４の奥側面と両側面にそれぞれ固定され、前面縁は、前面扉３の後面縁に当接するものが挙げられる。また、図４（ｂ）に示す通り、支持板５０の前面側に隙間５３を形成し、支持板５０で仕切られた上部室１３を連通させてもよい。図４、図５で示す通り、点線で示す装置４０を収容する場合には、装置４０を収容しない場合と比べて、支持板５０を長くする必要がある。図５に示す通り、支持板５０の前部に防護壁として縦板５４を立設してもよく、防犯効果を高めることができる。図６（ａ）（ｂ）に示す通り、支持板５０で主基板６を覆う覆板構造としてもよい。また図６の点線で示す通り、装置４０を収容する場合には、支持板５０を増設することもある。図６の場合、支持板５０はビスなどの締結部品或いは溶接等によって筐体板金フレーム２４の内壁に固定される。ここでは締結部品の取り外しは可能とする。
【００２６】
主基板１６は装置４０の奥に配置されてもよいが、主基板１６の視認性を高めるため、主基板１６を装置４０の前方に配置してもよい。
【００２７】
電源ボックス１８にはトランスや定電圧回路などが組み込まれ、外部電源からの電源供給を受けてスロットマシンの各部、例えば、主基板１６、リールユニット１７、ホッパー装置、各種表示部を駆動するための表示回路などのそれぞれに規定の電圧で給電を行う。
【００２８】
〔実施形態の動作〕
本実施形態に係る回胴式遊技機１の動作の一例を図面を参照して説明する。図２に示す通り、前面扉３を組み立て、図３に示す通り筐体２を組み立て、蝶番２３で連結するなどによって製造する。そして、回胴式遊技機１の投入口から１〜３枚のメダルを投入し、あるいはベットボタンを操作してクレジットされたメダルの中から３枚のメダルをベットした後、スタートレバーを操作するとその時点で電子抽選が行われ、当たりの種類あるいは外れが決められる。そして、一斉に３個のリールが回転を開始し、遊技者は任意のタイミングでストップボタンを順に操作することによって、対応するリールを停止させることができる。ただし、すでに電子抽選によって当たりの種類あるいはハズレが決められているので、ストップボタンの操作によってリールの停止制御が開始されるが、基本的には電子抽選の結果が反映されるようにリールの停止制御が行われる。そして、当たりになった場合にはメダル受皿２２に当たりの種類に応じた枚数のメダルが払いだされる。
【００２９】
〔実施形態の効果〕
本実施形態の回胴式遊技機１の躯体構造によれば、操作部のボタン類などに対する不正行為が困難になる。また、装置４０の配置などにより主基板１６への不正行為が困難になる。
【００３０】
特に、防護板金１１の作用により、前面扉３の操作パネル６から孔を空ける等により、回胴式遊技機の躯体の破壊等を行って不正行為を行っても、防護板金１１が破壊できないので、防犯効果が向上する。また、操作パネル６内側の板金フレーム４の防護板金１１にボタン類を固定してあるので、ボタン類の取り外しによる不正行為を防ぐことができる。一番防犯性を高めたい部位には板金を、そうではない部位には板金以外の材質を採用可能であるので、材質のカスタマイズの自由度が高くなる。前面扉の材質がＭＤＦなどの場合、切り取りや穴開けを防ぐことは困難であり、そこで、不正対策を強化したいパネルに対応する箇所について、材質、形状を変更することで、セキュリティ性が向上する。また、板金フレーム構造とパネルの分割で、パネルの装飾についてのカスタマイズの自由度を確保できる。
【００３１】
前面扉３が防護板金１１を有する板金フレーム４を備えた簡易な構造であるので、利便性、操作性、低コストを確保した上で、不正行為をし難くする実用的な効果がある。
【００３２】
筐体板金フレーム２４の周囲パネルが別構造となり、また板金フレーム４と結合させることで、捩れなどの変形に強い頑丈な構造体を提供できるとともに、筐体２の意匠の変更・交換が容易になる（例えば、ＭＤＦ、板金などの組み合わせ等）。また、パネルのみの交換が可能となることでリユース性が向上する。さらに、筐体の軽量化を実現できる。
【００３３】
なお、本発明は、上述の実施の形態に限定されるものではなく、本発明の技術的思想を逸脱しない範囲において、改変等を加えることが出来るものであり、それらの改変、均等物等も本発明の技術的範囲に含まれることとなる。たとえば、板金フレーム４、防護板金１１の構造は、図示のものに限定されない。前面扉３に関し、フレーム形状の見直し（軽量、剛性）、シリンダー錠の仕様、サオの形状及び仕様、ボタン、レバー、セレクターの仕様、スピーカーの形状、配置場所等は適宜設計できる。筐体２において、フレーム形状の変更（軽量、剛性）、周囲パネルの材質（材料）選定、蝶番の形状及び仕様、電源ボックスの形状、設定キーの選定、各基板ケース類、スピーカーの形状及び配置場所、ホッパーの仕様、リールの仕様等は適宜設計できる。さらに図２に示す防護板金１１の下側の空間を板金で覆ってもよい。これにより、電源ボックス１８に対する不正行為を防止できる。
【図面の簡単な説明】
【００３４】
【図１】本発明実施形態の回胴式遊技機の開扉状態の斜視図である。
【図２】同実施形態の前面扉の分解斜視図である。
【図３】同実施形態の筐体の分解斜視図である。
【図４】（ａ）は同実施形態の上部の部分縦断面図、（ｂ）は変更形態の上部の部分断面図である。
【図５】（ａ）は異なる変更形態の上部の部分縦断面図、（ｂ）は更に異なる変更形態の上部の部分縦断面図である。
【図６】（ａ）は他の実施形態の上部の部分縦断面図、（ｂ）は更に異なる他の変更形態の上部の部分縦断面図である。
【符号の説明】
【００３５】
１・・・回胴式遊技機  ２・・・筐体  ３・・・前面扉
４・・・板金フレーム  ５〜７・・・パネル  ８・・・操作部  ９・・・凸面
１０・・・突出部  １１・・・防護板金  １２・・・裏側凹面
１３・・・上部室  １４・・・下部室  １５・・・仕切板  １６・・・主基板
１７・・・リールユニット  １８・・・電源ボックス  １９・・・鍵シリンダ錠
２０・・・リール観察窓  ２１・・・表示部  ２２・・・メダル受皿
２３・・・蝶番  １１ａ・・・凸面  ２４・・・筐体板金フレーム
２６・・・背板  ２７・・・天板  ２８，２９・・・側板
３０・・・底板  ４０・・・装置  ５０・・・支持板  ５３・・・隙間
【図１】
2009268774.tif 000003
【図２】
2009268774.tif 000004
【図３】
2009268774.tif 000005
【図４】
2009268774.tif 000006
【図５】
2009268774.tif 000007
【図６】
2009268774.tif 000008